(57)【特許請求の範囲】
【請求項１】
着用者の腹側に配される腹側シート部材と、着用者の背側に配され且つ長手方向の長さが該腹側シート部材の同方向の長さよりも長い背側シート部材と、該腹側シート部材及び該背側シート部材に架け渡して固定された吸収性本体とを具備し、
前記腹側シート部材及び前記背側シート部材それぞれの上端縁の位置を一致させて、該腹側シート部材の両側部と該背側シート部材の両側部とがサイドシール部において接合されて、筒状の胴回り部が形成されているパンツ型吸収性物品であって、
前記背側シート部材は、幅方向の両側に前記サイドシール部を有する背側本体部と、該背側本体部から股下部側に延出し、幅方向の両側に該サイドシール部を有しない背側延出部とを有しており、
前記腹側シート部材及び前記背側シート部材は、それぞれ、外側シートと、該外側シートの内面側に配された内側シートと、両シート間に配された、横方向に延びる複数本の糸状の弾性部材とを備えており、該外側シートと該内側シートとは、複数の接合部において接合されており、該弾性部材が、該接合部を通らず且つ該弾性部材の両端部間の領域において該外側シート及び該内側シートのいずれにも非接合状態で配されており、
前記吸収性本体が、液保持性の吸収体を具備し、
前記弾性部材は、その長さ方向の領域のうち、前記吸収性本体における前記吸収体と重ならない位置において伸縮弾性が発現するようになっており、該吸収体と重なる位置には該弾性部材が配置されていないか、又は配置されているとしても、伸縮弾性が弱くなるような態様で配置されており、
前記腹側シート部材に形成された複数の前記接合部は長手方向に沿って間欠的に直列配置されて接合部列を形成し、該接合部列が幅方向に複数列形成されており、
前記背側シート部材に形成された複数の前記接合部は長手方向に沿って間欠的に直列配置されて接合部列を形成し、該接合部列が幅方向に複数列形成されており、
前記腹側シート部材に形成された前記接合部列の間隔と、前記背側シート部材に形成された前記接合部列の間隔とが同じになっており、
前記腹側シート部材を長手方向に沿って仮想的に三等分して上部、中央部及び下部に区分したとき、該下部のうち前記サイドシール部に隣接する部位での個々の前記接合部の面積をＭａとし、
前記背側シート部材における前記背側本体部を長手方向に沿って仮想的に三等分して上
部、中央部及び下部に区分したとき、該下部のうち前記サイドシール部に隣接する部位での個々の前記接合部の面積をＭｂとしたとき、
面積Ｍｂを面積Ｍａよりも大きくすることで、前記背側シート部材の前記下部における伸縮応力を、前記腹側シート部材の前記下部における伸縮応力よりも弱くした、パンツ型吸収性物品。
【請求項２】
前記背側シート部材における前記背側延出部のうち前記サイドシール部に隣接する部位での個々の前記接合部の面積をＭｅとしたとき、各接合部の形状及び寸法はすべて同じであり、面積Ｍｅを面積Ｍｂよりも大きくした請求項１に記載のパンツ型吸収性物品。
【請求項３】
前記腹側シート部材における前記下部に位置する前記吸収体の坪量をＢａとし、
前記背側シート部材における前記下部に位置する前記吸収体の坪量をＢｂとしたとき、
坪量Ｂｂを坪量Ｂａよりも大きくした請求項１又は２に記載のパンツ型吸収性物品。
【請求項４】
前記背側シート部材において、前記外側シート及び前記内側シートは、それらのうちの少なくとも一方が、前記背側延出部の下端から延出しており、延出した部位が折り返されて該背側延出部と重なっており、それによって該背側延出部を構成するシートの枚数を、前記背側本体部を構成するシートの枚数よりも多くした請求項１ないし３のいずれか一項に記載のパンツ型吸収性物品。
【請求項５】
前記背側延出部の下端から延出した前記部位を、着用者の肌当接面側に向けて折り返してある請求項４に記載のパンツ型吸収性物品。
【請求項６】
前記背側延出部の下端から延出した前記部位が折り返されて前記背側延出部と対向する領域のうち、該背側延出部の下端域においては、該背側延出部と、延出した該部位とが非接合状態になっており、両者間に空間が形成されている請求項４又は５に記載のパンツ型吸収性物品。
【発明の詳細な説明】
【技術分野】
【０００１】
本発明はパンツ型吸収性物品に関する。
【背景技術】
【０００２】
パンツ型の使い捨ておむつにおける背側部の下部域に、着用状態において着用者の臀部を覆うようにした臀部カバー部を設けたものが知られている（特許文献１ないし３参照）。臀部カバー部を設けることで、臀部の隠蔽性が向上しておむつの外観が向上し、また装着感が向上するという利点がある。
【０００３】
しかし、臀部カバー部を有するおむつを装着すると、該臀部カバー部が膨らんだり、捲れたりすることがあり、おむつの見栄えを低下させる一因となる。そこで一般には、臀部カバー部に糸ゴム等の弾性部材を配して、これらの不具合が生じることを防止している。
【先行技術文献】
【特許文献】
【０００４】
【特許文献１】国際公開第２００８／１０８２７０号パンフレット
【特許文献２】特開２０１１−１１５２２９号公報
【特許文献３】特開２０１１−２２４０４６号公報
【発明の概要】
【発明が解決しようとする課題】
【０００５】
しかし、特許文献１及び２に記載の技術のように、臀部カバー部に弾性部材を配する場合、弾性部材が過度に収縮すると、それに連れて臀部カバー部も収縮し、臀部の被覆性が低下してしまう場合があった。特許文献３では、臀部カバー部と、その上側に位置する部位とで、弾性部材の配置領域の長さを異ならせているので、臀部カバー部の収縮は、特許文献１及び２に記載の技術に比べると起こりにくいが、臀部の隠蔽性を更に高めることが求められている。
【０００６】
したがって本発明の課題はパンツ型吸収性物品の改良にあり、更に詳細には、臀部カバー部による臀部のフィット性を維持しつつ、臀部の隠蔽性を高めたパンツ型吸収性物品を提供することにある。
【課題を解決するための手段】
【０００７】
本発明は、着用者の腹側に配される腹側シート部材と、着用者の背側に配され且つ長手方向の長さが該腹側シート部材の同方向の長さよりも長い背側シート部材と、該腹側シート部材及び該背側シート部材に架け渡して固定された吸収性本体とを具備し、
前記腹側シート部材及び前記背側シート部材それぞれの上端縁の位置を一致させて、該腹側シート部材の両側部と該背側シート部材の両側部とがサイドシール部において接合されて、筒状の胴回り部が形成されているパンツ型吸収性物品であって、
前記背側シート部材は、幅方向の両側に前記サイドシール部を有する背側本体部と、該背側本体部から股下部側に延出し、幅方向の両側に該サイドシール部を有しない背側延出
部とを有しており、
前記腹側シート部材及び前記背側シート部材は、それぞれ、外側シートと、該外側シートの内面側に配された内側シートと、両シート間に配された、横方向に延びる複数本の糸状の弾性部材とを備えており、該外側シートと該内側シートとは、複数の接合部において接合されており、該弾性部材が、該接合部を通らず且つ該弾性部材の両端部間の領域において該外側シート及び該内側シートのいずれにも非接合状態で配されており、
前記吸収性本体が、液保持性の吸収体を具備し、
前記弾性部材は、その長さ方向の領域のうち、前記吸収性本体における前記吸収体と重ならない位置において伸縮弾性が発現するようになっており、該吸収体と重なる位置には該弾性部材が配置されていないか、又は配置されているとしても、伸縮弾性が弱くなるような態様で配置されており、
前記腹側シート部材に形成された複数の前記接合部の形状及び寸法はすべて同じであり、
前記背側シート部材に形成された複数の前記接合部の形状及び寸法はすべて同じであり、
前記腹側シート部材を長手方向に沿って仮想的に三等分して上部、中央部及び下部に区分したとき、該下部のうち前記サイドシール部に隣接する部位での個々の前記接合部の面積をＭａとし、
前記背側シート部材における前記背側本体部を長手方向に沿って仮想的に三等分して上部、中央部及び下部に区分したとき、該下部のうち前記サイドシール部に隣接する部位での個々の前記接合部の面積をＭｂとしたとき、
面積Ｍｂを面積Ｍａよりも大きくすることで、前記背側シート部材の前記下部における伸縮応力を、前記腹側シート部材の前記下部における伸縮応力よりも弱くした、パンツ型吸収性物品を提供するものである。
【発明の効果】
【０００８】
本発明によれば、臀部のフィット性を維持しつつ、臀部の隠蔽性を高めたパンツ型吸収性物品が提供される。
【図面の簡単な説明】
【０００９】
【図１】図１は、本発明の一実施形態であるパンツ型使い捨ておむつの使用状態（着用状態）を示す斜視図である。
【図２】図２は、図１に示すパンツ型使い捨ておむつの展開且つ伸長状態を示す一部破断平面図である。展開且つ伸長状態とは、おむつの両側部に存する接合部（サイドシール部）を引き剥がして、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで広げた状態をいう。
【図３】図３は、図２におけるIII−III線断面図である。
【図４】図４は、図２におけるIV−IV線断面図である。
【図５】図５は、図１に示すパンツ型使い捨ておむつのサイドシール部付近を拡大して示す平面図である。
【図６】図６は、図１に示すパンツ型使い捨ておむつにおける腹側シート部材及び背側シート部材が収縮した状態を示す斜視図である。
【図７】図７は、図１に示す実施形態のパンツ型使い捨ておむつを着用者に着用させたときの状態を横から見た図である。
【図８】図８（ａ）及び（ｂ）は、本発明のパンツ型吸収性物品の別の実施形態における背側シート部材の厚み方向の要部断面図である。
【発明を実施するための形態】
【００１０】
以下本発明を、その好ましい実施形態に基づき図面を参照しながら説明する。本発明の一実施形態であるパンツ型使い捨ておむつ１（以下、おむつ１ともいう）は、図１及び図２に示すとおり、着用者の腹側に配される矩形状の腹側シート部材２Ａと、着用者の背側に配される矩形状の背側シート部材２Ｂと、腹側シート部材２Ａ及び背側シート部材２Ｂに架け渡して固定された吸収性本体３とを具備している。そして、腹側シート部材２Ａの及び背側シート部材２Ｂそれぞれの上端縁２Ａｅ，２Ｂｅの位置を一致させて、腹側シート部材２Ａの両側縁部２ａ，２ａと背側シート部材２Ｂの両側縁部２ｂ，２ｂとが接合されて、一対のサイドシール部４，４が形成されている。
【００１１】
おむつ１は、図１及び図２に示すとおり、着用時に、着用者の腹側に配される腹側部Ａと、着用者の背側に配される背側部Ｂと、腹側部Ａと背側部Ｂとの間に位置し、着用者の股間部に配される股下部Ｃを有している。おむつ１の長手方向（物品長手方向）は、腹側部Ａから股下部Ｃを経て背側部Ｂにわたる方向又はその逆方向（図２中Ｘ方向）であり、おむつ１の幅方向（物品幅方向）は、着用者の胴回り方向に沿う方向であり、物品長手方向と交差する方向（図２中Ｙ方向）である。
【００１２】
腹側シート部材２Ａは、おむつ１の展開且つ伸長状態（図２参照）において、幅方向Ｙに沿って長い横長の長方形状をなしている。背側シート部材２Ｂも、同様に、おむつ１の展開且つ伸長状態（図２参照）において、横長の長方形状をなしている。腹側シート部材２Ａと背側シート部材２Ｂは、図２に示すとおり、長手方向Ｘの長さが、幅方向Ｙにおいて均一である。
【００１３】
そして、腹側シート部材２Ａの側縁部２ａと、背側シート部材２Ｂの側縁部２ｂとが上述した一対のサイドシール部４，４において接合されて、筒状の胴回り部が形成されている。この接合には、例えばヒートシール、高周波シール、超音波シール、接着剤等の公知の接合手段が用いられる。また、この接合によって、サイドシール部４，４とともに、ウエスト開口部５及び一対のレッグ開口部６，６が形成される。
【００１４】
背側シート部材２Ｂは長手方向Ｘの長さが、腹側シート部材２Ａの長手方向Ｘの長さよりも大きくなっている。そしてサイドシール部４は、図２に示すとおり、長手方向Ｘの長さが、腹側シート部材２Ａの長さＬａと同じになっている。背側シート部材２Ｂの長さＬｂとの関係では、サイドシール部４は、背側シート部材２Ｂの長さＬｂよりも短く形成されている。その結果、背側シート部材２Ｂには、幅方向Ｙの両側にサイドシール部４，４を有する背側本体部２０ｂと、該背側本体部２０ｂから股下部Ｃ側に延出し、幅方向Ｙの両側にサイドシール部４，４を有しない背側延出部２１ｂとが形成されている。背側延出部２１ｂのうち、吸収性本体３よりも幅方向Ｙの外方に位置する部位は、おむつ１の着用状態において、着用者の臀部を被覆する臀部カバー部２１０ｂとなる。
【００１５】
おむつ１の吸収性本体３は、図２に示すとおり、液透過性の表面シート３１、液不透過性又は撥水性の裏面シート３２、及び両シート３１、３２間に介在配置された液保持性の吸収体３３を有しており、長手方向Ｘに長い長方形状に形成されている。吸収体３３は、パルプ繊維等の繊維の集合体（不織布であってもよい）からなる吸収性コア３３ａ又はこれに吸水性ポリマーの粒子を保持させてなる吸収性コア３３ａと、該吸収性コア３３ａを被覆するコアラップシート３３ｂからなる。吸収体３３も、長手方向Ｘに長い長方形状に形成されている。
【００１６】
吸収性本体３の長手方向の両側部には、液抵抗性ないし撥水性で且つ通気性の素材から構成された防漏カフ３４，３４が形成されている。各防漏カフ３４の自由端の近傍には、防漏カフ弾性部材３５が伸長状態で配されている。おむつ１の着用中には、防漏カフ弾性部材３５が収縮することにより防漏カフ３４が起立し、吸収性本体３から幅方向外方への液の流出が阻止される。表面シート３１、裏面シート３２、及び吸収体３３の吸収性コア３３ａやコアラップシート３３ｂとしては、それぞれ、この種の吸収性物品に従来用いられているものと同様のものを用いることができる。股下部Ｃにおける吸収性本体３の外側には、図３に示すとおり、裏面シート３２に重ねて、不織布やフィルム等の外装シート３５を配することもできる。
【００１７】
吸収性本体３は、防漏カフ３４よりも幅方向Ｙの外方の位置であって且つ吸収体３３の長手方向Ｘの両側縁それぞれの外方の位置に、長手方向Ｘに延びるレッグカフ３６，３６を有している。レッグカフ３６の自由端には、長手方向Ｘに延びる弾性部材３７，３７が伸長状態で取り付けられている。レッグカフ３７は、おむつ１の着用状態において、着用者の脚周りにフィットするようになっている。
【００１８】
吸収性本体３は、長手方向Ｘの一端側（背側シート部材２Ｂと重なっている部分）が、図４に示すとおり、背側シート部材２Ｂの幅方向Ｙの中央領域に接着剤３８を介して固定されている。また、図示していないが、吸収性本体３は、長手方向Ｘの他端側（腹側シート部材２Ａと重なっている部分）が、腹側シート部材２Ａの幅方向Ｙの中央領域に接着剤を介して固定されている。
【００１９】
おむつ１における腹側シート部材２Ａ及び背側シート部材２Ｂはいずれも、図２及び図５に示すとおり、おむつの外面をなす外側シート２２と、外側シート２２の内面側に配された内側シート２３と、両シート２２，２３間に配された複数本の糸状の弾性部材２４とを備えている。弾性部材２４は、幅方向Ｙに沿って延びている。それによって、腹側シート部材２Ａ及び背側シート部材２Ｂは、幅方向Ｙに沿って伸縮性を発現している。腹側シート部材２Ａと背側シート部材２Ｂと幅方向Ｙに沿った長さが等しいことが好ましい。この長さとは設計上の長さ、つまり弾性部材２４による収縮が発現していない状態での長さのことである。
【００２０】
腹側シート部材２Ａに配されている弾性部材２４と、背側シート部材２Ｂに配されている弾性部材２４は同種のものである。同種の弾性部材とは、その太さ及び材質などの物理的及び化学的特性がすべて同じであることをいう。また、腹側シート部材２Ａに配されている弾性部材２４と、背側シート部材２Ｂに配されている弾性部材２４は、同じ伸長倍率で配されている。
【００２１】
弾性部材２４は、その長さ方向の領域のうち、吸収性本体３における吸収体３３と重ならない位置において伸縮弾性が発現するようになっている。そして、吸収体３３と重なる位置には弾性部材２４が配置されていないか、又は配置されているとしても、伸縮弾性が弱くなるような態様で配置されている。例えば図４に示すとおり、弾性部材２４は、吸収体３３と重なる位置において細かく分断された分断体２４ａの状態で存在しており、それによって伸縮弾性が弱くなっている。弾性部材２４は、腹側シート部材２Ａに配置されている長さと、背側シート部材２Ｂに配置されている長さが、吸収体３３を横切る部位で同じになっている。また吸収体３３を横切らない部位においても同じになっている。
【００２２】
図５に示すとおり、外側シート２２と内側シート２３とは、複数の接合部２６ａ，２６ｂ，２６ｅにおいて接合されている。そして弾性部材２４が、該接合部２６ａ，２６ｂ，２６ｅを通らないように且つ該弾性部材２４の両端部間の領域において外側シート２２及び内側シート２３のいずれにも非接合状態で配されている。弾性部材２４は、その両端部においてのみ外側シート２２及び内側シート２３と固定されている。
【００２３】
腹側シート部材２Ａにおいては、おむつ１の長手方向Ｘに沿って腹側接合部２６ａが間欠的に直列配置されてなる接合部列２６Ａが、おむつ１の幅方向Ｙに複数列形成されている。そして、それらの接合部列２６Ａにおける各腹側接合部２６ａの長手方向が一致している。長手方向Ｘにおいて前後する一対の腹側接合部２６ａの間には弾性部材２４が位置している。
【００２４】
同様に、背側シート部材２Ｂにおいても、おむつ１の長手方向Ｘに沿って背側接合部２６ｂと延出部接合部２６ｅとからなる接合部が間欠的に直列配置されてなる接合部列２６Ｂが、おむつ１の幅方向Ｙに複数列形成されている。そして、それらの接合部列２６Ｂにおける各背側接合部２６ｂ及び延出部接合部２６ｅの長手方向が一致している。背側接合部２６ｂは、背側本体部２０ｂに形成された接合部である。延出部接合部２６ｅは、背側延出部２１ｂに形成された接合部である。背側シート部材２Ｂにおいては、接合部列２６Ｂは、複数の腹側接合部２６ｂと、複数の延出部接合部２６ｅとからなる。そして、長手方向Ｘにおいて前後する一対の背側接合部２６ｂの間には弾性部材２４が位置している。同様に、長手方向Ｘにおいて前後する一対の延出部接合部２６ｅの間にも弾性部材２４が位置している。更に、長手方向Ｘにおいて前後する背側接合部２６ｂと延出部接合部２６ｅとの間にも弾性部材２４が位置している。
【００２５】
各接合部２６ａ，２６ｂ，２６ｅは矩形をしている。各接合部２６ａ，２６ｂ，２６ｅの長手方向Ｘに沿う長さはいずれも同じになっている。各接合部２６ａ，２６ｂ，２６ｅの幅方向Ｙに沿う長さは互いに異なっている。詳細には、腹側接合部２６ａの幅方向Ｙに沿う長さＬ２６ａが最も短く、背側接合部２６ｂの幅方向Ｙに沿う長さＬ２６ｂが次に短く、延出部接合部２６ｅの幅方向Ｙに沿う長さＬ２６ｅが最も長くなっている。
【００２６】
腹側シート部材２Ａにおいては、複数の腹側接合部２６ａからなる接合部列２６Ａは、一定の間隔Ｄａで配置されている。一方、背側シート部材２Ｂにおいては、複数の背側接合部２６ｂ及び複数の延出部接合部２６ｅからなる接合部列２６Ｂは、一定の間隔Ｄｂで配置されている。そして間隔Ｄａと間隔Ｄｂとは同じになっている。
【００２７】
以上のとおりの構造を有する腹側シート部材２Ａ及び背側シート部材２Ｂは、その収縮状態において、図６に示すとおり、複数本の弾性部材２４にわたって連続して延びる複数本の襞２７を形成する。
【００２８】
図５に示すとおり、腹側シート部材２Ａを長手方向Ｘに沿って仮想的に三等分して腹側上部Ａ１、腹側中央部Ａ２及び腹側下部Ａ３に区分したとき、腹側下部Ａ３のうちサイドシール部４に隣接する部位での個々の腹側接合部２６ａの面積をＭａと定義する。本実施形態においては、腹側シート部材２Ａに形成された腹側接合部２６ａの形状及び寸法はすべて同じなので、各腹側接合部２６ａの面積はすべてＭａとなる。
【００２９】
また、背側シート部材２Ｂにおける背側本体部２０ｂを長手方向Ｘに沿って仮想的に三等分して背側上部Ｂ１、背側中央部Ｂ２及び背側下部Ｂ３に区分したとき、背側下部Ｂ３のうちサイドシール部４に隣接する部位での個々の背側接合部２６ｂの面積をＭｂと定義する。本実施形態においては、背側本体部２０ｂに形成された背側接合部２６ｂの形状及び寸法はすべて同じなので、各背側接合部２６ｂの面積はすべてＭｂとなる。
【００３０】
更に、背側シート部材２Ｂにおける背側延出部２１ｂのうちサイドシール部４に隣接する部位での個々の延出部接合部２６ｅの面積をＭｅと定義する。本実施形態においては、背側延出部２１ｂに形成された背側接合部２６ｅの形状及び寸法はすべて同じなので、各背側接合部２６ｅの面積はすべてＭｅとなる。
【００３１】
以上のとおりに各接合部２６ａ，２６ｂ，２６ｅの面積を定義したとき、本実施形態においては、面積Ｍａと面積Ｍｂとを比較すると、面積Ｍｂの方が、面積Ｍａよりも大きくなっている。このような構成を採用することで、背側下部Ｂ３における弾性部材２４の収縮が、腹側下部Ａ３における弾性部材２４の収縮よりも抑制され、そのことに起因して、背側下部Ｂ３の収縮の程度が、腹側下部Ａ３の収縮の程度よりも小さくなる。その結果、腹側下部Ａ３の方が背側下部Ｂ３よりも収縮しやすくなるので、背側下部Ｂ３の下方に位置する背側延出部２１ｂの収縮が起こりづらくなる。この理由は、接合部を形成することによってシートが硬くなるため、収縮し難くなることに起因している。したがって、図７に示すとおり、背側延出部２１ｂのうち、臀部カバー部２１０ｂによる臀部のフィット性を維持しつつ、臀部の隠蔽性が高まるという有利な効果が奏される。
【００３２】
以上の有利な効果を一層顕著なものとする観点から、面積Ｍａは、面積Ｍｂの１０％以上、特に１５％以上であることが好ましく、７５％以下、特に５０％以下であることが好ましい。具体的には１０％以上７５％以下であることが好ましく、１５％以上５０％以下であることが更に好ましい。
【００３３】
臀部のフィット性を維持しつつ、臀部の隠蔽性を一層高める観点からは、背側延出部２１ｂに形成された延出部接合部２６ｅの面積Ｍｅを、背側延出部２１ｂに形成された背側接合部２６ｂの面積Ｍｂよりも大きくすることが好ましい。具体的には、面積Ｍｂは、面積Ｍｅの１０％以上、特に１５％以上であることが好ましく、７５％以下、特に５０％以下であることが好ましい。具体的には１０％以上７５％以下であることが好ましく、１５％以上５０％以下であることが更に好ましい。
【００３４】
このように、本実施形態のおむつ１は、接合部２６ａ，２６ｂの面積を調整することで、背側シート部材２Ｂの背側下部Ｂ３の伸縮応力を、腹側シート部材２Ａの腹側下部Ａ３の伸縮応力よりも弱くして、背側延出部２１ｂのフィット性を維持しつつ、収縮を抑制しようとするものである。この観点から、腹側シート部材２Ａ上に位置する吸収体３３の坪量と、背側シート部材２Ｂ上に位置する吸収体３３の坪量との大小関係を調整することが有利である。詳細には、腹側シート部材２Ａにおける腹側下部Ａ３に位置する吸収体３３の坪量をＢａと定義し、また背側シート部材２Ｂにおける背側下部Ｂ３に位置する吸収体３３の坪量をＢｂと定義したとき、坪量Ｂｂを坪量Ｂａよりも大きくすることが有利である。これによって、背側下部Ｂ３よりも、腹側下部Ａ３の方が収縮しやすくなる。この場合、坪量Ｂａは、坪量Ｂｂの３０％以上、特に５０％以上であることが好ましく、９０％以下、特に７０％以下であることが好ましい。具体的には３０％以上９０％以下であることが好ましく、５０％以上７０％以下であることが更に好ましい。吸収体３３の坪量は、主として、これを構成する吸収性コア３３の坪量を増減させることで変化させることができる。
【００３５】
なお、吸収体３３の坪量を、背側下部Ｂ３と腹側下部Ａ３とで異ならせることに代えて、又はそれに加えて、吸収体３３の厚み及び／又は密度を、背側下部Ｂ３の方が腹側下部Ａ３よりも大きくすることでも、同様の効果を奏させることができる。
【００３６】
図８（ａ）には本発明の別の実施形態のパンツ型使い捨ておむつ１が示されている。同図は、背側シート部材２Ｂにおける背側下部Ｂ３及び背側延出部２１Ｂを拡大して示す厚み方向断面図である。同図中、向かって左側が着用者の肌当接面側であり、右側がおむつ１の外面である。
【００３７】
図８（ａ）に示すとおり、背側シート部材２Ｂにおいては、外側シート２２及び内側シート２３のうちの外側シート２２が、背側延出部２１ｂの下端から延出しており、延出した部位２１１ｂが折り返されて背側延出部２１ｂと重なっている。それによって背側延出部２１ｂを構成するシートの枚数が、背側本体部２０ｂを構成する背側下部Ｂ３のシートの枚数よりも多くなっている。外側シート２２の延出部位２１１ｂは、着用者の肌当接面側に向けて折り返されている。折り返された延出部位２１１ｂは、接着剤２１２ｂによって背側延出部２１ｂと接合されている。このように、背側延出部２１ｂと背側本体部２０ｂとで、これらを構成するシートの枚数を異ならせることで、背側延出部２１ｂの方が、背側本体部２０ｂよりも剛性が高くなる。その結果、背側本体部２０ｂの背側下部Ｂ３が、背側延出部２１ｂよりも収縮しやすくなる。そのことに起因して、臀部のフィット性を維持しつつ、臀部の隠蔽性が一層高まる。また、延出した部位２１１ｂを着用者の肌当接面側に向けて折り返すことで、おむつ１の外観を良好にすることができる。
【００３８】
図８（ｂ）に示す実施形態は、図８（ａ）に示す実施形態の変形例である。図８（ａ）に示す実施形態では、延出した部位２１１ｂが折り返されて背側延出部２１ｂと対向する領域の全域において、該背側延出部２１ｂと接合されていたが、図８（ｂ）に示す実施形態においては、延出した部位２１１ｂが折り返されて背側延出部２１ｂと対向する領域のうち、該背側延出部２１ｂの下端域２１３ｂにおいて、該背側延出部２１ｂと、延出した部位２１１ｂとが非接合状態になっており、両者間に空間２１４ｂが形成されている。そして、背側延出部２１ｂと、延出した部位２１１ｂとは、該背側延出部２１ｂにおける下端域２１３ｂよりも上方の領域において、接着剤２１２ｂによって接合されている。本実施形態によれば、背側延出部２１ｂの下端域２１３ｂが、そこに形成されている空間２１４ｂによって柔軟な風合いを呈し、且つ収縮が起こりづらいようになる。その結果、おむつ１の装着感が一層良好になる。
【００３９】
なお、図８（ａ）及び（ｂ）に示す実施形態においては、外側シート２２及び内側シート２３のうちの外側シート２２を延出させて、延出した部位２１１ｂを折り返したが、これに代えて、内側シート２３を延出させてもよく、あるいは外側シート２２及び内側シート２３の双方を延出させてもよい。また、図８（ａ）及び（ｂ）に示す実施形態においては、延出した部位２１１ｂを、着用者の肌当接面側に向けて折り返したが、これに代えて、おむつ１の外面側に向けて折り返してもよい。
【００４０】
以上の各実施形態に用いられる外側シート２２及び内側シート２３としては、この種の物品に従来使用されている各種のシート材を特に制限なく用いることができるが、不織布であることが好ましく、特に柔軟性等の観点から、エアースルー不織布、ヒートロール不織布、スパンレース不織布、スパンボンド不織布、メルトブローン不織布等からなる単層の不織布又は２層以上の積層不織布であることが好ましい。また、これらの不織布とフィルムとを一体化したシートでもよい。弾性部材２４の形成材料としては、使い捨ておむつや生理用ナプキン等の吸収性物品に用いられる各種公知の弾性材料を特に制限なく用いることができる。弾性材料としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００４１】
上述したおむつ１は、例えば、腹側シート部材２Ａの帯状原反と背側シート部材２Ｂの帯状原反とを離間させて搬送しつつ、吸収性本体３を、両者間に架け渡すように間欠的に固定し、次いで、腹側シート部材２Ａの帯状原反と背側シート部材２Ｂの帯状原反とが重なるように二つ折りした後、サイドシール部４を形成するための熱シール等（接合）を行い、その接合と同時又はその後に切断して個々の使い捨ておむつに分割することにより効率的に製造することができる。この方法によれば、レッグ開口部形成用の貫通孔や切り欠きを形成する場合に比して、外包材の原反からのトリムの除去を不要としたり、除去すべきトリムを小型化したりすることができる。特に腹側シート部材２Ａ及び背側シート部材２Ｂの帯状原反を流れ方向と直交する直線で切断したものが、完成したおむつ１の腹側シート部材２Ａ及び背側シート部材２Ｂとなるようにすることがトリムの除去を不要とできるため好ましい。
【００４２】
以上、本発明をその好ましい実施形態に基づき説明したが、本発明は上述した実施形態に制限されず適宜変更可能である。例えば、腹側シート部材２Ａ及び背側シート部材２Ｂにおいては、外側シート２２と内側シート２３との接合を、矩形の形状を有する接合部２６ａ，２６ｂ，２６ｅにおいて行ったが、これらの接合部の形状は矩形に限られず、例えば円形、楕円形、長円形等であってもよい。
【００４３】
また、本発明のパンツ型吸収性物品は、幼児又は成人用のパンツ型使い捨ておむつの他、パンツ型の生理用ナプキン等であってもよい。
上述した一の実施形態における説明省略部分及び一の実施形態のみが有する要件は、それぞれ他の実施形態に適宜適用することができ、また、各実施形態における要件は、適宜、実施形態間で相互に置換可能である。
【００４４】
上述した実施形態に関し、本発明は更に以下のパンツ型吸収性物品を開示する。
＜１＞
着用者の腹側に配される腹側シート部材と、着用者の背側に配され且つ長手方向の長さが該腹側シート部材の同方向の長さよりも長い背側シート部材と、該腹側シート部材及び該背側シート部材に架け渡して固定された吸収性本体とを具備し、
前記腹側シート部材及び前記背側シート部材それぞれの上端縁の位置を一致させて、該腹側シート部材の両側部と該背側シート部材の両側部とがサイドシール部において接合されて、筒状の胴回り部が形成されているパンツ型吸収性物品であって、
前記背側シート部材は、幅方向の両側に前記サイドシール部を有する背側本体部と、該背側本体部から股下部側に延出し、幅方向の両側に該サイドシール部を有しない背側延出部とを有しており、
前記腹側シート部材及び前記背側シート部材は、それぞれ、外側シートと、該外側シートの内面側に配された内側シートと、両シート間に配された、横方向に延びる複数本の糸状の弾性部材とを備えており、該外側シートと該内側シートとは、複数の接合部において接合されており、該弾性部材が、該接合部を通らず且つ該弾性部材の両端部間の領域において該外側シート及び該内側シートのいずれにも非接合状態で配されており、
前記腹側シート部材を長手方向に沿って仮想的に三等分して上部、中央部及び下部に区分したとき、該下部のうち前記サイドシール部に隣接する部位での個々の前記接合部の面積をＭａとし、
前記背側シート部材における前記背側本体部を長手方向に沿って仮想的に三等分して上部、中央部及び下部に区分したとき、該下部のうち前記サイドシール部に隣接する部位での個々の前記接合部の面積をＭｂとしたとき、
面積Ｍｂを面積Ｍａよりも大きくした、パンツ型吸収性物品。
【００４５】
＜２＞
面積Ｍａは、面積Ｍｂの１０％以上、特に１５％以上であることが好ましく、７５％以下、特に５０％以下であることが好ましい前記＜１＞に記載の吸収性物品。
＜３＞
前記背側シート部材における前記背側延出部のうち前記サイドシール部に隣接する部位での個々の前記接合部の面積をＭｅとしたとき、面積Ｍｅを面積Ｍｂよりも大きくした前記＜１＞又は＜２＞に記載のパンツ型吸収性物品。
＜４＞
面積Ｍｂは、面積Ｍｅの１０％以上、特に１５％以上であることが好ましく、７５％以下、特に５０％以下であることが好ましい前記＜３＞に記載のパンツ型吸収性物品。
＜５＞
前記吸収性本体が、液保持性の吸収体を具備し、
前記腹側シート部材における前記下部に位置する前記吸収体の坪量をＢａとし、
前記背側シート部材における前記下部に位置する前記吸収体の坪量をＢｂとしたとき、
坪量Ｂｂを坪量Ｂａよりも大きくした前記＜１＞ないし＜４＞のいずれか１に記載のパンツ型吸収性物品。
＜６＞
坪量Ｂａは、坪量Ｂｂの３０％以上、特に５０％以上であることが好ましく、９０％以下、特に７０％以下であることが好ましい前記＜１＞ないし＜５＞のいずれか１に記載のパンツ型吸収性物品。
【００４６】
＜７＞
前記背側シート部材において、前記外側シート及び前記内側シートは、それらのうちの少なくとも一方が、前記背側延出部の下端から延出しており、延出した部位が折り返されて該背側延出部と重なっており、それによって該背側延出部を構成するシートの枚数を、前記背側本体部を構成するシートの枚数よりも多くした前記＜１＞ないし＜６＞のいずれか１に記載のパンツ型吸収性物品。
＜８＞
前記背側延出部の下端から延出した前記部位を、着用者の肌当接面側に向けて折り返してある前記＜７＞に記載のパンツ型吸収性物品。
＜９＞
前記背側延出部の下端から延出した前記部位が折り返されて前記背側延出部と対向する領域のうち、該背側延出部の下端域においては、該背側延出部と、延出した該部位とが非接合状態になっており、両者間に空間が形成されている前記＜７＞又は＜８＞に記載のパンツ型吸収性物品。
＜１０＞
前記腹側シート部材においては、前記物品の長手方向に沿って腹側接合部が間欠的に直列配置されてなる接合部列が、該物品の幅方向に複数列形成されている前記＜１＞ないし＜９＞のいずれか１に記載のパンツ型吸収性物品。
＜１１＞
前記腹側シート部材においては、前記物品の長手方向に沿って腹側接合部が間欠的に直列配置されてなる接合部列が、該物品の幅方向に複数列形成されており、
前記接合部列における各腹側接合部の長手方向が一致している前記＜１＞ないし＜１０＞のいずれか１に記載のパンツ型吸収性物品。
【００４７】
＜１２＞
前記腹側シート部材においては、前記物品の長手方向に沿って腹側接合部が間欠的に直列配置されてなる接合部列が、該物品の幅方向に複数列形成されており、
長手方向において前後する一対の腹側接合部の間に前記弾性部材が位置している前記＜１＞ないし＜１１＞のいずれか１に記載のパンツ型吸収性物品。
＜１３＞
前記背側シート部材においては、前記物品の長手方向に沿って、前記背側本体部に形成された背側接合部と、前記背側延出部に形成された延出部接合部とが間欠的に直列配置されてなる接合部列が、該物品の幅方向に複数列形成されている前記＜１＞ないし＜１２＞のいずれか１に記載のパンツ型吸収性物品。
＜１４＞
前記背側シート部材においては、前記物品の長手方向に沿って、前記背側本体部に形成された背側接合部と、前記背側延出部に形成された延出部接合部とが間欠的に直列配置されてなる接合部列が、該物品の幅方向に複数列形成されており、
前記接合部列における各背側接合部及び各延出部接合部の長手方向が一致している前記＜１＞ないし＜１３＞のいずれか１に記載のパンツ型吸収性物品。
＜１５＞
前記背側シート部材においては、前記物品の長手方向に沿って、前記背側本体部に形成された背側接合部と、前記背側延出部に形成された延出部接合部とが間欠的に直列配置されてなる接合部列が、該物品の幅方向に複数列形成されており、
長手方向において前後する一対の背側接合部の間に前記弾性部材が位置している前記＜１＞ないし＜１４＞のいずれか１に記載のパンツ型吸収性物品。
＜１６＞
前記腹側シート部材に形成された腹側接合部と、前記背側本体部に形成された背側接合部と、前記背側延出部に形成された延出部接合部とが矩形をしており、
腹側接合部、背側接合部及び延出部接合部の長手方向に沿う長さがいずれも同じになっており、
腹側接合部、背側接合部及び延出部接合部の幅方向に沿う長さが互いに異なっている前記＜１＞ないし＜１５＞のいずれか１に記載のパンツ型吸収性物品。
【００４８】
＜１７＞
前記腹側シート部材においては、前記物品の長手方向に沿って腹側接合部が間欠的に直列配置されてなる接合部列が、該物品の幅方向に複数列形成されており、該接合部列は、一定の間隔Ｄａで配置されており、
前記背側シート部材においては、前記物品の長手方向に沿って、前記背側本体部に形成された背側接合部と、前記背側延出部に形成された延出部接合部とが間欠的に直列配置されてなる接合部列が、該物品の幅方向に複数列形成されており、該接合部列は、一定の間隔Ｄｂで配置されており、
間隔Ｄａと間隔Ｄｂとが同じになっている前記＜１＞ないし＜１６＞のいずれか１に記載のパンツ型吸収性物品。
＜１８＞
前記吸収体の厚み及び／又は密度は、前記背側シート部材の前記下部の方が、前記腹側シート部材の前記下部よりも大きくなっている前記＜１＞ないし＜１７＞のいずれか１に記載のパンツ型吸収性物品。
＜１９＞
前記弾性部材は、その長さ方向の領域のうち、前記吸収性本体における吸収体と重ならない位置において伸縮弾性が発現するようになっている前記＜１＞ないし＜１８＞のいずれか１に記載のパンツ型吸収性物品。
＜２０＞
前記吸収性本体における吸収体と重なる位置に前記弾性部材が配置されていないか、又は配置されているとしても、伸縮弾性が弱くなるような態様で配置されている前記＜１＞ないし＜１９＞のいずれか１に記載のパンツ型吸収性物品。
＜２１＞
前記弾性部材は、前記腹側シート部材に配置されている長さと、前記背側シート部材に配置されている長さが、前記吸収性本体における吸収体を横切る部位で同じになっている前記＜１＞ないし＜２０＞のいずれか１に記載のパンツ型吸収性物品。
＜２２＞
前記弾性部材は、前記腹側シート部材に配置されている長さと、前記背側シート部材に配置されている長さが、前記吸収性本体における吸収体を横切らない部位において同じなっている前記＜１＞ないし＜２１＞のいずれか１に記載のパンツ型吸収性物品。
【符号の説明】
【００４９】
１  パンツ型使い捨ておむつ（パンツ型吸収性物品）
２Ａ  腹側シート部材
２ａ，２ａ  側縁部
２Ａｅ  上端縁
２Ｂ  背側シート部材
２ｂ，２ｂ  側縁部
２Ｂｅ  上端縁
２０ｂ  背側本体部
２１ｂ  背側延出部
２２  外側シート
２３  内側シート
２４  弾性部材
２６ａ  腹側接合部
２６ｂ  背側接合部
２６ｅ  延出部接合部
３  吸収性本体
３１  表面シート
３２  裏面シート
３３  吸収体
３３ａ  吸収性コア
３３ｂ  コアラップシート
３４  防漏カフ
３５  外装シート
３６  レッグカフ
３７  弾性部材
４  サイドシール部
５  ウエスト開口部
６  レッグ開口部
Ａ  腹側部
Ａ１  腹側上部
Ａ２  腹側中央部
Ａ３  腹側下部
Ｂ  背側部
Ｂ１  背側上部
Ｂ２  背側中央部
Ｂ３  背側下部
Ｃ  股下部
【図１】
0006438293.tif 000002
【図２】
0006438293.tif 000003
【図３】
0006438293.tif 000004
【図４】
0006438293.tif 000005
【図５】
0006438293.tif 000006
【図６】
0006438293.tif 000007
【図７】
0006438293.tif 000008
【図８】
0006438293.tif 000009